(57)【特許請求の範囲】
【請求項１】
遊技板と、遊技板の下縁から上方に窪むように遊技板の下縁に形成された切欠部と、切欠部の側および遊技盤の前面に開放されるように遊技板の前面に形成された四角形の溝と、遊技板の前面に結合されるセルシートと、セルシートに設けられた発光表示部と、発光表示部より配線された複数の端子をセルシートの下縁の裏面に並べて配置した端子部と、端子部の端子を露出するようにセルシートの裏面に設けられた四角形の凹部と、複数の端子と同数であり遊技板の裏面側から発光表示部の発光に必要な電力を供給する複数の導線を並べて絶縁被覆で被覆してなる給電線と、給電線における複数の導線を露出するために絶縁被覆の前面側が剥ぎ取られた端部と、保持具と、釘とを備えた遊技電飾の電線接続装置であって、遊技板とセルシートとが互いに結合された場合に、四角形の溝と四角形の凹部とが切欠部に開口したケーブル収容部を形成し、遊技板の裏面側から切欠部を経由して遊技板の前面側に回り込ませられた給電線の端部の導線がセルシートの端子の側に向くように、給電線の端部がケーブル収容部に下側より挿入され、給電線の端部における導線とセルシートの端子部における端子とが互いに前後方向に重ね合わせられて接続され、保持具がセルシートの前面に重ね合わせられ、複数の釘が保持具よりケーブル収容部を避けつつセルシートを貫通してケーブル収容部のまわりの遊技板に締結されて端子と導線との接続を保持したことを特徴とする遊技電飾の電線接続装置。
【請求項２】
遊技板における溝の止端面と左右両側との連接角部には逃げ凹部が形成されたことを特徴とする請求項１記載の遊技電飾の電線接続装置。
【請求項３】
保持具におけるセルシートの側の面にはリブが設けられたことを特徴とする請求項１記載の遊技電飾の電線接続装置。
【請求項４】
遊技板と、遊技板の下縁から上方に窪むように遊技板の下縁に形成された切欠部と、切欠部の側および遊技盤の前面に開放されるように遊技板の前面に形成された四角形の溝と、遊技板の前面に結合されるセルシートと、セルシートに設けられた発光表示部と、発光表示部より配線された複数の端子をセルシートの下縁に横方向に並べて配置した端子部と、端子部の端子を露出するようにセルシートの裏面に設けられた四角形の凹部と、複数の端子と同数であり遊技板の裏面側から発光表示部の発光に必要な電力を供給する複数の導線を絶縁被覆で被覆してなる給電線と、給電線における複数の導線を露出するために絶縁被覆の前面側が剥ぎ取られなる端部と、かすがいとを備えた遊技電飾の電線接続装置であって、遊技板とセルシートとが互いに結合された場合に、四角形の溝と四角形の凹部とが切欠部に開口したケーブル収容部を形成し、遊技板の裏面側から切欠部を経由して遊技板の前面側に回り込ませられた給電線の導線がセルシートの端子の側に向くように、給電線の端部がケーブル収容部に下側より挿入され、給電線の端部における導線とセルシートの端子部における端子とが互いに前後方向に重ね合わせられて接続され、かすがいがセルシートの前面からセルシート端子部とケーブル収容部および給電線の端子を避けるようにセルシートを貫通してケーブル収容部のまわりの遊技板に締結されて端子と導線との接続を保持したことを特徴とする遊技電飾の電線接続装置。
【請求項５】
かすがいにおけるセルシートの側の面にはリブが設けられたことを特徴とする請求項４記載の遊技電飾の電線接続装置。
【発明の詳細な説明】
【０００１】
【発明の属する技術分野】
この発明は、遊技球を使用するパチンコ機やメダルを使用するスロットマシン等の遊技機のエレクトロルミネセンスランプを有するセルシートの裏面を遊技板の前面に一体に結合した電飾装置に給電線を接続する装置に関する。
【０００２】
【従来の技術】
パチンコ機においては、実開平４−５００９２号公報に開示されたように、遊技板の前面側に発光表示部としてエレクトロルミネセンスランプを備えると共に、遊技機の裏面側にドライバー回路を備え、このドライバー回路から発光表示部に電力を供給して、発光表示部を発光表示するようにした面発光タイプの電飾装置を用いることが考えられている。
【０００３】
【発明が解決しようとする課題】
この種の電飾装置において、ドライバー回路から配線された給電線をエレクトロルミネセンスランプに接続するには、市販又は専用のコネクタを使用することが考えられるが、コネクタが遊技板よりかなり突出するために、遊技板の機枠への設置を考えた場合、にわかに採用しがたいものである。
【０００４】
そこで、この発明は、給電線とエレクトロルミネセンスランプとの接続構造の簡素化を図り、品質信頼性を向上できる遊技電飾の電線接続装置を提供しようとするものである。
【０００５】
【課題を解決するための手段】
１つの発明に係る遊技電飾の電線接続装置は、遊技板と、遊技板の下縁から上方に窪むように遊技板の下縁に形成された切欠部と、切欠部の側および遊技盤の前面に開放されるように遊技板の前面に形成された四角形の溝と、遊技板の前面に結合されるセルシートと、セルシートに設けられた発光表示部と、発光表示部より配線された複数の端子をセルシートの下縁の裏面に並べて配置した端子部と、端子部の端子を露出するようにセルシートの裏面に設けられた四角形の凹部と、複数の端子と同数であり遊技板の裏面側から発光表示部の発光に必要な電力を供給する複数の導線を並べて絶縁被覆で被覆してなる給電線と、給電線における複数の導線を露出するために絶縁被覆の前面側が剥ぎ取られた端部と、保持具と、釘とを備えた遊技電飾の電線接続装置であって、遊技板とセルシートとが互いに結合された場合に、四角形の溝と四角形の凹部とが切欠部に開口したケーブル収容部を形成し、遊技板の裏面側から切欠部を経由して遊技板の前面側に回り込ませられた給電線の端部の導線がセルシートの端子の側に向くように、給電線の端部がケーブル収容部に下側より挿入され、給電線の端部における導線とセルシートの端子部における端子とが互いに前後方向に重ね合わせられて接続され、保持具がセルシートの前面に重ね合わせられ、複数の釘が保持具よりケーブル収容部を避けつつセルシートを貫通してケーブル収容部のまわりの遊技板に締結されて端子と導線との接続を保持したことを特徴とする。この１つの発明に係る遊技電飾の電線接続装置によれば、保持具が給電線の端部のケーブル収容部からの抜け止め防止を図ることができるとともにセルシートの複数の端子と給電線の複数の導体の電気的な接続を向上することができ、給電線が遊技板の裏面側から切欠部を経由して遊技板の前面側に回り込ませられたことによって、遊技板の前面にセルシートの結合された形態のゲージ盤が機枠に組み付けられる場合、給電線がゲージ盤と機枠との接触面間に挟まれるような不都合が解消できる。この１つの発明に係る遊技電飾の電線接続装置において、遊技板における溝の止端面と左右両側との連接角部には逃げ凹部が形成されれば、ケーブル収容部に給電線の端部が挿入された場合、当該端部の先端面を溝の止端面に当接させ、給電線の挿入止め位置を向上することができる。この１つの発明に係る遊技電飾の電線接続装置において、保持具におけるセルシートの側の面にはリブが設けられれば、セルシートの複数の端子と給電線の複数の導体の電気的な接続を適切に保持することができる。もう１つの発明に係る遊技電飾の電線接続装置は、遊技板と、遊技板の下縁から上方に窪むように遊技板の下縁に形成された切欠部と、切欠部の側および遊技盤の前面に開放されるように遊技板の前面に形成された四角形の溝と、遊技板の前面に結合されるセルシートと、セルシートに設けられた発光表示部と、発光表示部より配線された複数の端子をセルシートの下縁に横方向に並べて配置した端子部と、端子部の端子を露出するようにセルシートの裏面に設けられた四角形の凹部と、複数の端子と同数であり遊技板の裏面側から発光表示部の発光に必要な電力を供給する複数の導線を絶縁被覆で被覆してなる給電線と、給電線における複数の導線を露出するために絶縁被覆の前面側が剥ぎ取られなる端部と、かすがいとを備えた遊技電飾の電線接続装置であって、遊技板とセルシートとが互いに結合された場合に、四角形の溝と四角形の凹部とが切欠部に開口したケーブル収容部を形成し、遊技板の裏面側から切欠部を経由して遊技板の前面側に回り込ませられた給電線の導線がセルシートの端子の側に向くように、給電線の端部がケーブル収容部に下側より挿入され、給電線の端部における導線とセルシートの端子部における端子とが互いに前後方向に重ね合わせられて接続され、かすがいがセルシートの前面からセルシート端子部とケーブル収容部および給電線の端子を避けるようにセルシートを貫通してケーブル収容部のまわりの遊技板に締結されて端子と導線との接続を保持したことを特徴とする。このもう１つの発明に係る遊技電飾の電線接続装置によれば、かすがいが給電線の端部のケーブル収容部からの抜け止め防止を図ることができるとともにセルシートの複数の端子と給電線の複数の導体の電気的な接続を向上することができ、給電線が遊技板の裏面側から切欠部を経由して遊技板の前面側に回り込ませられたことによって、遊技板の前面にセルシートの結合された形態のゲージ盤が機枠に組み付けられる場合、給電線がゲージ盤と機枠との接触面間に挟まれるような不都合が解消できる。もう１つの発明に係る遊技電飾の電線接続装置において、かすがいにおけるセルシートの側の面にはリブが設けられれば、セルシートの複数の端子と給電線の複数の導体の電気的な接続を適切に保持することができる。
【０００６】
【発明の実施の形態】
図６は第１実施形態を示し、この図において、１０はパチンコ店の島に取り付けられる外枠とこれに開閉可能に装着された前枠とからなるパチンコ機の図外の機枠の内部に着脱自在に組み付けられるゲージ盤で、このゲージ盤１０はデザイン図の描かれたセルシート１をほぼ方形のベニヤ板からなる遊技板２の前面の全域に一体に結合していて、セルシート１上に図外の発射装置から発射された図外の遊技球を遊技領域に誘導するバンド１１、センタ役物１２、風車１３、始動口１４、一般入賞口１５、大入賞口１６、アウト口１７、多数の遊技釘１８を取り付けてある。
【０００７】
この実施形態では、セルシート１は、光透過性を有する透明なポリエチレンテレフタレートフィルム（ＰＥＴフィルムと俗称されている）製の表面パネルの裏面に点線で示すように点在配置されたエレクトロルミネセンスランプからなる複数の発光表示部１９ａ，１９ｂ，１９ｃ，１９ｄと、発光表示部１９ａ〜１９ｄ以外の部分である通常の塗料印刷にて形成された非発光表示部１９ｅとからなるデザイン図を有している。
【０００８】
また、セルシート１は、各層毎の詳細な図示は省略したが、遊技板２とほぼ合同な方形の前記表面パネルの裏面の全面に透明な表面電極を真空蒸着で形成し、この表面電極の発光表示部１９ａ〜１９ｄ相互と対応する部分の裏面に発光層を印刷で形成すると共に、この表面電極の非発光表示部１９ｅと対応する部分の裏面に非発光層を印刷で形成し、この非発光層の裏面及び発光層の裏面双方の全面を覆う状態に絶縁層を印刷で形成し、さらに発光層と対応する位置で絶縁層の裏面に背面電極を印刷で形成し、この背面電極の裏面及び絶縁層の裏面双方の全面を覆う状態に保護層を印刷で形成し、この保護層の裏面の全面に接着層を印刷で形成し、この接着層の裏面の全面にケント紙のような図１に示す定着用紙１ａを貼り合わせた、積層体になっている。
【０００９】
このセルシート１は、穴明けや切除等の加工が施された遊技板２の全前面に図外のローラで膜状に糊付けされたエマルジョンタイプの接着剤３の上にセルシート１の定着用紙１ａの裏面を重ね合わせ、この重ね合わされたセルシート１の前面側と遊技板２の裏面側との両方より互いに向き合う方向の圧力を加えることにより、遊技板２に接着剤３で一体に結合されている。
【００１０】
前記ゲージ盤１０の周縁のうちの下縁に設けられた電線接続装置４は、発光表示部１９ａ〜１９ｄの発光に必要な電力を供給するフレキシブルフラットケーブルのような給電線５を、遊技板２の裏面に設置された電源としてのドライバー回路２０より、遊技板２の下縁に形成された切欠部２ａを経由して、ゲージ盤１０の前面側に回り込ませて、発光表示部１９ａ〜１９ｄに接続するようになっており、ゲージ盤１０を機枠に組み付けた際、機枠の裏面に設けられた図外の賞球機構から機枠の前面に設けられた図外の上皿への賞球の図外の払い出し通路と干渉しない位置に、また機枠に設けられた図外の玉発射装置からバンド１１の内部に区画されたゲージ盤１０の遊技領域への遊技球の図外の発射通路と干渉しない位置に設置されている。
【００１１】
この実施形態では、図１〜３に示すように、電線接続装置４は、セルシート１と遊技板２との合わせ面間にケーブル収容部６を形成してあって、このケーブル収容部６に給電線５の端部５ｂを下側より挿入することにより、セルシート１の端子部１ｂでの複数の端子１ｃ，１ｄ，１ｅ，１ｆ，１ｇと給電線５の端部５ｂでの複数の導線５ｃ，５ｄ，５ｅ，５ｆ，５ｇとを前後方向に重ね合わせて接続する一方、給電線５をケーブル収容部６に挿入した際に、保持具としての保持片７をセルシート１の前面に重ね合わせて、複数の木ねじのようなねじ込み釘８を保持片７の左右端部に形成された皿穴７ａよりセルシート１に貫通してケーブル収容部６まわりの遊技板２に締結することにより、保持片７が端子１ｃ〜１ｇと導線５ｃ〜５ｇとの接続及び給電線５のケーブル収容部６からの抜け止めを図るようになっている。
【００１２】
このケーブル収容部６は、セルシート１の裏面に形成された端子部１ｂと遊技板２の前面に形成された溝２ｂとにより、遊技板２の下縁に形成された切欠部２ａの上側面に開放された角穴になっている。このケーブル収容部６の横幅Ｄ１は、給電線５の端部５ｂの左右の動きを規制し得るように、給電線５の端部５ｂの横幅Ｄ２とほぼ同一寸法に形成してある（Ｄ１＝Ｄ２）。また、ケーブル収容部６における端子１ｃ〜１ｇから対向壁面までの高さＨ１は、給電線５の導線５ｃ〜５ｇとそれに裏打ちされた絶縁被覆５ａとからなる端部５ｂの厚さＨ２よりも小寸法に形成してある（Ｈ１＜Ｈ２）。
【００１３】
前記給電線５の端部５ｂでは、セルシート１の端子１ｃ〜１ｇと対応する導線５ｃ〜５ｇの絶縁被覆５ａの前面側が剥ぎ取られていて、その残存する絶縁被覆５ａの平坦な前面に導線５ｃ〜５ｇが並列配置に敷設されて同一面内に露出している。
【００１４】
図４は前記セルシート１の端子部１ｂを裏返して示し、この端子部１ｂはセルシート１の定着用紙１ａより図外の接着層を経由して図外の保護層までを除去した凹部１ｈを有している。この凹部１ｈの底面を形成する絶縁層の裏面（図４では上側面）上には、端子１ｃ〜１ｇを、印刷にて左右方向（横幅方向）に等間隔を以て並列配置に形成してある。端子１ｃ〜１ｇは、セルシート１の前記絶縁層に沿って凹部１ｈの止端面１ｉよりセルシート１の前記保護層と前記絶縁層との間に埋め込まれている。そのうちの１つの端子１ｃが前記絶縁層をセルシート１の前面側に突き抜けて発光表示部１９ａ〜１９ｄの共通電極としての図外の表面電極に接続しており、残りの端子１ｄ〜１ｇは前記絶縁層の裏面に沿って延びて発光表示部１９ａ〜１９ｄの個別電極としての複数の図外の背面電極に個別に接続している。この凹部１ｈの横幅Ｄ３は図１に示すケーブル収容部６の横幅Ｄ１よりも大寸法に形成してあると共に、凹部１ｈの奥行きＬ３は図１に示す給電線５の端部５ｂの長さＬ２よりも小寸法に形成してある（Ｄ３＞Ｄ１、Ｌ３＜Ｌ２）。
【００１５】
図５は前記遊技板２の切欠部２ａまわりを前面側より示し、遊技板２の前面には切欠部２ａ側に開放されたほぼ四角形の溝２ｂを切削加工により切欠形成してあり、この溝２ｂの横幅Ｄ４は図１に示すケーブル収容部６の横幅Ｄ１と同一寸法になっている。切欠部２ａから溝２ｂの止端面２ｄまでの奥行きＬ４は図１に示す給電線５の端部５ｂの長さＬ２及びセルシート１の凹部１ｈの奥行きＬ３よりも小寸法に形成してある。また、溝２ｂと切欠部２ａとの連接角部には傾斜状の案内面２ｃを面取りしてある（Ｌ４＜Ｌ３＜Ｌ２）。
【００１６】
この図５に示した遊技板２の前面（図５の上側面）上に、図４に示したセルシート１を裏返して接着剤３（図１参照）で一体に結合したことにより、図１のａ図に示したケーブル収容部６がセルシート１と遊技板２との合わせ面間に形成される。この結合に際しては、図１に示すように、セルシート１の端子部１ｂの下縁が遊技板２の切欠部２ａの上側面と面一となるように位置合わせを行うと共に、図２に示すように、セルシート１の凹部１ｈの左右側面が遊技板２の溝２ｂの左右側面より外側に配置されるように位置合わせをしてある。このセルシート１と遊技板２とを一体に結合するに際し、前述のように遊技板２にローラで糊付けを行うことにより、溝２ｂに接着剤３は付着していない。
【００１７】
以上の実施形態の構造によれば、図１のａ図に示すように、給電線５の導線５ｃ〜５ｇがセルシート１の端子１ｃ〜１ｇ側に向くようにして、給電線５の端部５ｂをケーブル収容部６に下側方より挿入すると、給電線５の端部５ｂの裏面側先端縁がケーブル収容部６の案内面２ｃに摺接案内される。この時、ケーブル収容部６の横幅Ｄ１が給電線５の端部５ｂの横幅Ｄ２とほぼ同一寸法に形成された関係により、給電線５の端部５ｂの左右側面がケーブル収容部６の左右側面に摺接案内されて、この端部５ｂが左右にがたつくことなくケーブル収容部６の内部に円滑に押し込まれる。
【００１８】
この挿入の途中では、図１のａ図に示すケーブル収容部６の高さＨ１が給電線５の端部５ｂの厚さＨ２よりも小寸法に形成された関係により、給電線５の端部５ｂの裏面側先端縁がケーブル収容部６の案内面２ｃで案内されるのに伴って、給電線５の導線５ｃ〜５ｇがセルシート１の端子１ｃ〜１ｇを前後方向（図１のａ図の上下方向）で対向接触してセルシート１の前面側に押し上げる。
【００１９】
この押し上げに伴い、セルシート１の端子部１ｂが前面側に弾性変形して盛り上がり、その反作用として、給電線５の導線５ｃ〜５ｇがセルシート１の端子１ｃ〜１ｇに重ね合わせ状態で接続することにより、ケーブル収容部６の内部において、セルシート１、端子１ｃ〜１ｇ、導線５ｃ〜５ｇ、絶縁被覆５ａのそれぞれが互いに圧力を受けて、給電線５の端部５ｂのケーブル収容部６からの抜け止めを図ることができると共に、端子１ｃ〜１ｇと導線５ｃ〜５ｇとを互いに電気的に接触抵抗の少ない状態に接続できる。
【００２０】
この端子部１ｂの盛り上がり量は、前記高さＨ１と厚さＨ２との寸法差Ｈ１−Ｈ２の関係により決まる。この寸法差Ｈ１−Ｈ２は、セルシート１と遊技板２とを一体に結合している接着剤３が乾燥造膜した接着完了の状態で、前記給電線５の端部５ｂをケーブル収容部６に挿入した際に、セルシート１が遊技板２より剥離しない程度に設定すると共に、また、給電線５の端部５ｂのケーブル収容部６への挿入がなるべく少ない力で行える程度に設定するのが好ましい。
【００２１】
そして、給電線５の端部５ｂがケーブル収容部６の止端面２ｄ（図５参照）側で行き止まりとなるまで、端部５ｂをケーブル収容部６に挿入した後に、保持片７をセルシート１の前面に重ね合わせて、複数のねじ込み釘８を保持片７の皿穴７ａよりセルシート１に貫通してケーブル収容部６まわりの遊技板２に締結することにより、端子１ｃ〜１ｇと導線５ｃ〜５ｇとの重ね合わせによる接続状態を確保できる。
【００２２】
この保持片７による保持状態について図２及び図３を用いて考察すると、セルシート１を貫通して遊技板２に締結されたねじ込み釘８が保持片７の全体を遊技板２側に押し付けることにより、保持片７がセルシート１の端子部１ｂを遊技板２側に押し付けて、給電線５の抜け止めを一層向上できると共に、端子１ｃ〜１ｇと導線５ｃ〜５ｇとの電気的な接続を一段と向上できるうえ、ケーブル収容部６まわりのセルシート１と遊技板２との剥がれ防止も確保できる。
【００２３】
なお、図２において、保持片７がセルシート１の前面より外側に弾性変形した状態に図示してあるのは、保持片７が端子部１ｂを遊技板２側に押圧した状態を図で表現するために描いたもので、保持片７をねじ込み釘８で遊技板２に締結した場合に、保持片７が必ず図示の状態に弾性変形されることを意図したものではなく、ねじ込み釘８の締結量の違いによって、保持片７が図示のように弾性変形する場合と、保持片７が図１のｂ図に示すように弾性変形しない場合とがある。
【００２４】
図７〜８は第２実施形態を示し、図７に示すように保持具をかすがい２１により形成してある。図８に示すように、かすがい２１の両端より折曲された釘部２１ａをセルシート１の前面よりケーブル収容部６まわりの遊技板２に打ち付けることにより、かすがい２１が給電線５の端部５ｂで盛り上げられたセルシート１を押さえ付けて、端子１ｃ〜１ｇと導線５ｃ〜５ｇとの重ね合わせによる接続を確保できる。かすがい２１は１本でもよいが、図８に示すように複数本使用することも可能である。この実施形態によれば、かすがい２１を打ち付けるだけの簡単な作業で給電線５をケーブル収容部７に確実に固定できる。
【００２５】
図９〜１１は第３実施形態を示し、図９に示すように保持具をセルシート１と遊技板２とを挟み付けるクリップ２２により構成し、このクリップ２２の相対峙する一対の挟持片２２ａ，２２ｂの先端には案内面２２ｃ，２２ｄを形成してある。一方の挟持片２２ａは背片２２ｅとの連接部より屈曲部２２ｆまでの傾斜を明らかに形成すると共に、屈曲部２２ｆより案内面２２ｃまでを他方の挟持片２２ｂとほぼ平行となる押圧面２２ｇに形成してある。この押圧面２２ｇと他方の挟持片２２ｂとの対向間隔Ｈ３は、図１０に示すように給電線５をケーブル収容部６に挿入して盛り上げられたセルシート１の前面より、遊技板２の裏面に重ね合わされた給電線５の外側までの寸法Ｈ４よりも小寸法に形成してある。（Ｈ３＜Ｈ４）また、クリップ２２の横幅Ｄ５は図１に示すケーブル収容部６の横幅Ｄ１よりも大寸法になっている（Ｄ５＞Ｄ１）。案内面２２ｃは一方の挟持片２２ａの先端部を外側に円弧状に湾曲形成してある。他方の案内面２２ｄは挟持片２２ｂの先端部を円弧状に面取りしてある。
【００２６】
この実施形態によれば、図１０に示すように給電線５の端部５ｂをケーブル収容部６の内部に挿入して、導線５ｃ〜５ｇが端子１ｃ〜１ｇに接続すると共に、遊技板２の切欠部２ａより裏面側に突出する給電線５を当該遊技板２の裏面に重ね合わせる。そして、図１１に示すように、クリップ２２の一対の挟持片２２ａ，２２ｂを互いに外側に広げるようにして、クリップ２２をセルシート１、遊技板２、給電線５の３者に挟み付けるように装着する。これにより、クリップ２２が一対の挟持片２２ａ，２２ｂの復元弾性により遊技板２の裏面側の給電線５と一緒に、導線５ｃ〜５ｇと端子１ｃ〜１ｇとを押圧して電気的な接続を適正に保持でき、遊技板２の裏面側での給電線５のぶらつきも阻止できる。
【００２７】
図１２〜１３は第４実施形態を示し、図１２に示すように両端部に皿穴７ａを有する保持片７の裏面にリブ７ｂを突設してある。このリブ７ｂの横幅Ｄ６は図１に示すケーブル収容部７の横幅Ｄ１よりも小寸法になっていると共に給電線５の端子５ｃから端子５ｇまでの横幅Ｄ９よりも大寸法になっており（Ｄ６＜Ｄ１、Ｄ６＞Ｄ９）、給電線５の端子５ｂをケーブル収容部６に挿入した後に、保持片７を図１２の状態より裏返して、リブ７ｂをセルシート１の前面に重ね合わせて、ねじ込み釘８を皿穴７ａよりセルシート１に貫通してケーブル収容部６まわりの遊技板２に締結することにより、図１３に示すようにリブ７ｂが端子１ｃ〜１ｇをケーブル収容部６の内部に押し込んで導線５ｃ〜５ｇに接続する。
【００２８】
よって、この実施形態によれば、リブ７ｂの横幅Ｄ６がケーブル収容部７の横幅Ｄ１よりも小寸法になっていると共に給電線５の端子５ｃから端子５ｇまでの横幅Ｄ９よりも大寸法になっているので、図１に示すケーブル収容部６の高さＨ１を給電線５の端部５ｂの厚さＨ２よりも大寸法（Ｈ１＞Ｈ２）に形成することにより、遊技板２に案内面２ｃ（図５参照）を形成しなくても、給電線５のケーブル収容部６への挿入性を上げるようにした場合でも、リブ７ｂで導線５ｃ〜５ｇと端子１ｃ〜１ｇとを電気的に適正に接続できる。
【００２９】
図１４は第５実施形態を示し、かすがい２１の裏面にリブ２１ｂを突設し、このリブ２１ｂの横幅Ｄ７を図１に示すケーブル収容部７の横幅Ｄ１よりも小寸法に形成すると共に給電線５の端子５ｃから端子５ｇまでの横幅Ｄ９よりも大寸法に形成すれば（Ｄ７＜Ｄ１、Ｄ７＞Ｄ９）、遊技板２に案内面２ｃ（図５参照）を形成せずに、図１に示すケーブル収容部６の高さＨ１を給電線５の端部５ｂの厚さＨ２よりも大寸法（Ｈ１＞Ｈ２）に形成して、給電線５のケーブル収容部６への挿入性を上げるようにした場合でも、かすがい２１を打ち込むだけで、リブ２０ｂで導線５ｃ〜５ｇと端子１ｃ〜１ｇとを電気的に適正に接続できる。
【００３０】
図１５〜１７は第６実施形態を示し、クリップ２２の横幅Ｄ８を図１に示すケーブル収容部７の横幅Ｄ１よりも小寸法に形成すると共に給電線５の端子５ｃから端子５ｇまでの横幅Ｄ９よりも大寸法に形成し（Ｄ８＜Ｄ１、Ｄ８＞Ｄ９）また、クリップ２２の対向間隔Ｈ５をセルシート１の前面から遊技板２の裏面に重ね合わされた給電線５の外側までの寸法Ｈ６よりも小寸法に形成すれば、遊技板２に案内面２ｃ（図５参照）を形成せずに、図１に示すケーブル収容部６の高さＨ１を給電線５の端部５ｂの厚さＨ２よりも大寸法（Ｈ１＞Ｈ２）に形成して、端部５ｂをケーブル収容部６に挿入した場合、図１６に示すように給電線５とセルシート１との間に隙間２３が形成されるようにして、給電線５のケーブル収容部６への挿入性を上げるようにした場合でも、クリップ２２をはめ込むだけで、クリップ２２の一対の挟持片２２ａ，２２ｂがセルシート１をケーブル収容部６の内部側に押して、導線５ｃ〜５ｇと端子１ｃ〜ｇとを電気的に適正に接続できる。
【００３１】
図１８は実施形態７を示し、遊技板２の溝２ｂを形成する際に、止端面２ｄの左右両側２ｅ，２ｆとの連接角部に円弧状の逃げ凹部２ｇ，２ｈを形成すれば、ケーブル収容部６（図１参照）に給電線５の端部５ｂを挿入したときに、該端部５ｂの先端面を溝２ｂの止端面２ｄに当接させ、給電線５の挿入止め位置を一段と向上することもできる。
【００３２】
前記実施形態では発光表示部１９ａ〜１９ｄをバンド１１によりその内部に区画されたゲージ盤１０の遊技領域に配置した場合を図示して説明したが、図示は省略するけれども、発光表示部１９ａ〜１９ｄをバンド１１より外側に位置するゲージ盤１０の非遊技領域又は機枠１における前枠の前面に配置しても実施できる。
【００３３】
また、各実施形態ではパチンコ機を図示して説明したが、使用する機能部品を違えることでスロットマシンにも適用できる。
【図面の簡単な説明】
【図１】  第１実施形態を示す斜視図。
【図２】  図１のｂ図に示すＡ−Ａ線断面図。
【図３】  図１のｂ図に示すＢ−Ｂ線断面図。
【図４】  同実施形態のセルシートの端子部を示す斜視図。
【図５】  同実施形態の遊技板の溝を示す斜視図。
【図６】  同実施形態のゲージ盤を示す正面図。
【図７】  第２実施形態のかすがいを示す斜視図。
【図８】  同実施形態の接続状態を示す断面図。
【図９】  第３実施形態のクリップを示す斜視図。
【図１０】  同実施形態の給電線挿入状態を示す断面図。
【図１１】  同実施形態の接続状態を示す断面図。
【図１２】  第４実施形態の保持板を示す斜視図。
【図１３】  同実施形態の接続状態を示す断面図。
【図１４】  第５実施形態のかすがいを示す斜視図。
【図１５】  第６実施形態のクリップを示す斜視図。
【図１６】  同実施形態の給電線挿入状態を示す断面図。
【図１７】  同実施形態の接続状態を示す断面図。
【図１８】  実施形態７の遊技板の溝を示す斜視図。
【符号の説明】
１  セルシート１
１ｂ  端子部
１ｃ〜１ｇ  端子
２  遊技板
２ｂ  溝
４  電線接続装置
５  給電線
５ｂ  端部
５ｃ〜５ｇ  導線
６  ケーブル収容部
７  保持片（保持具）
７ｂ  リブ
１９ａ〜１９ｄ９ｄ  発光表示部
１９ｅ  非発光表示部
２０  ドライバー回路
２１  かすがい（保持具）
２２  クリップ（保持具）
【図１】
0003850475.tif 000002
【図２】
0003850475.tif 000003
【図３】
0003850475.tif 000004
【図４】
0003850475.tif 000005
【図５】
0003850475.tif 000006
【図６】
0003850475.tif 000007
【図７】
0003850475.tif 000008
【図８】
0003850475.tif 000009
【図９】
0003850475.tif 000010
【図１０】
0003850475.tif 000011
【図１１】
0003850475.tif 000012
【図１２】
0003850475.tif 000013
【図１３】
0003850475.tif 000014
【図１４】
0003850475.tif 000015
【図１５】
0003850475.tif 000016
【図１６】
0003850475.tif 000017
【図１７】
0003850475.tif 000018
【図１８】
0003850475.tif 000019